(57)【要約】【課題】ストラップや携帯無線機本体に過剰の応力が加わった場合、携帯無線機本体とストラップを分離することで使用者が安全に使用できる携帯無線機を提供することを目的とする。【解決手段】  ストラップを係止する為の係止部を有する携帯無線機であって、前記係止部は、前記係止部に取り付けられたストラップが所定以上の力で引っ張られた場合に前記係止部が外れることを特徴とする携帯無線機。【選択図】  図１
2007158801.tif 000002
【特許請求の範囲】
【請求項１】
ストラップを係止する為の係止部を有する携帯無線機であって、
前記係止部は、前記係止部に取り付けられたストラップが所定以上の力で引っ張られた場合に前記係止部が外れることを特徴とする携帯無線機。
【請求項２】
請求項１に記載の携帯無線機であって、
前記係止部は、前記携帯無線機と嵌合することによって、嵌合方向とは異なる方向へ所定以上の力で引っ張られた場合に前記係止部が外れることを特徴とする携帯無線機。
【発明の詳細な説明】
【技術分野】
【０００１】
本発明は携帯無線機に関するものであり、特に携帯無線機に取り付けるストラップと携帯無線機の筐体構造に関するものである。
【背景技術】
【０００２】
携帯無線機等の電子機器には、持ち運びまたは落下を防止するために携帯無線機本体にストラップを設ける事が可能な構造を有しているものが多く存在する。ストラップを取り付ける構造として、例えば図８に示すような構造が設けられているものがある。
ここで、図８について説明をする。図８は従来におけるストラップ係止部を具備した携帯無線機を示した図である。８０１は携帯無線機、８０２は携帯無線機８０１のフロントカバー、８０３は携帯無線機８０１のリアカバー、８０４は携帯無線機８０１のバッテリー、８０５はストラップ係止部、８０６はストラップ、８０７は携帯無線機８０１の空隙である。
図８の円８０９内は、形態無線機８０１の破線円８０８を拡大した図である。
通常、リアカバー８０３に設けられたストラップ係止部８０５と携帯無線機本体８０１との空隙８０７にストラップ８０６の紐部を通して結び、ストラップ係止部８０６に係止することによって、ストラップ８０６を携帯無線機８０１に固定取り付けをしている。ストラップ８０６は、使用者の首や肩にかけたり、着衣に固定したりすることによって、持ち運び、または落下を防止する。
このような携帯無線機の係止部について例えば特許文献１がある。
【０００３】
【特許文献１】特開２００３−１９８１５１号公報
【０００４】
上記従来のストラップ係止部では、ストラップや携帯無線機本体に大きな荷重がかかった場合、使用者本人に危険が及ぶ事があった。例えばストラップを首にかけていた場合には首が絞められてしまうということや、その他にも使用者本人の転倒や、作業機械などへ引き込まれるといったような、使用者の安全に問題が発生する。
【発明の開示】
【発明が解決しようとする課題】
【０００５】
本発明は上記従来の問題について鑑み、ストラップや携帯無線機本体に大きな荷重が加わった場合、携帯無線機とストラップを分離させることで使用者が安全に使用できる携帯無線機を提供することを目的とする。
【課題を解決するための手段】
【０００６】
上記目的を達成するため、請求項１に記載の携帯無線機は、ストラップを係止する為の係止部を有する携帯無線機であって、前記係止部は、前記係止部に取り付けられたストラップが所定以上の力で引っ張られた場合に前記係止部が外れることを特徴とする。
【０００７】
上記目的を達成するため、請求項２に記載の携帯無線機は、請求項１に記載の携帯無線機であって、前記係止部は、前記携帯無線機と嵌合することによって、嵌合方向とは異なる方向へ所定以上の力で引っ張られた場合に前記係止部が外れることを特徴とする。
【発明の効果】
【０００８】
本発明によると、ストラップや携帯無線機に大きな荷重がかかった場合、携帯無線機を吊り下げているストラップと携帯無線機を分離することで使用者の安全が確保できる携帯無線機を提供する事ができる。
【発明を実施するための最良の形態】
【０００９】
以下、本発明に係る実施例を図１〜図７を参照して説明する。
図１〜図７は、それぞれ本発明の携帯無線機のストラップ係止部を説明するための図である。図１〜図７において、携帯無線機は、送話部、受話部、スイッチやボタン等の操作部、フロントカバー部（図８の８０２に相当）、及びリアカバー部（図８の８０３に相当）、で構成されるが、リアカバー部を除く構成部分は、従来の携帯無線と同様なので、省略している。
【実施例１】
【００１０】
図１において、図１（a）はリアカバー部を示す斜視図、図１（b）は携帯無線機のストラップ係止部を示す斜視図、図１（c）は図１（a）の平面ＡＢＣＤを通る断面図、図１（d）はストラップ係止部１０１と隙間１０４を通る断面図である。
図１において、ストラップ係止部１０１は取り外しが可能であるように別部品として製作し、リアカバー部１８０３に設けられた凹部１０２に取り付けられている。
この取り付けの方法としては、図１（c）に示すように、リアカバー部１８０３に設けられた凹部１０２の切り込み部１０３に両端部分を嵌め込む（嵌合する）ことで実現する。
なお、ストラップは、図１（d）の隙間１０４をストラップの紐を通すことによって携帯無線機に取り付ける。
ここでストラップ係止部１０１の断面形状は、図１の実施例では正円となっているが、どんな形状でも良く、例えば方形でも良く、中空（パイプ状）であっても良い。また、一様な形状寸法である必要もない。
さらにストラップ係止部１０１の両端の端面部分は二股や三股のように分かれている計上であっても良い。
【００１１】
携帯無線機に取り付けられたストラップは、例えば、使用者の首にかけられて携帯される。また例えば、使用者の着衣のポケットに入れられ、かつ、着衣の一部にストラップを取り付ける事もある。
もし、この携帯無線機が、例えば、運転中の機械類にはさまれ、引っ張られるような自体が発生した場合には、携帯無線機を持った使用者も一緒に引っ張り込まれてしまう事が考えられる。従って所定以上の力が携帯無線機のストラップ係止部１０１に加わった場合（または引っ張られた場合）には、嵌合部（凹部１０２）からストラップ係止部１０１が外れる構成とする。これによって、所定以上の引張り力が携帯無線機に加わって引っ張られたとしても、ストラップ係止部１０１が凹部１０２から外れるので、使用者には危険が及ばない。
【実施例２】
【００１２】
図２において、図２（a）はリアカバー部を示す斜視図、図２（b）は携帯無線機のストラップ係止部を示す斜視図、図２（c）は図１（a）の平面Ａ’Ｂ’Ｃ’Ｄ’を通る断面図である。
図２において、ストラップ係止部２０１は取り外しが可能であるように別部品として製作し、リアカバー部２８０３に設けられた嵌合部２０２に取り付けられている。
この取り付けの方法としては、図２（c）に示すように、リアカバー部２８０３に設けられた嵌合部２０２の切り込み部２０３に両端部分を嵌め込むことで実現する。
ここで図２に記載した実施例２のストラップ係止部２０１はＨ字型の形状となっているが、このストラップ係止部２０１の形状はどのような形でも良く、例えばギリシャ文字のθのような形状でも良い。また、一様な形状寸法である必要も無い。
【実施例３】
【００１３】
図３において、ストラップ係止部３０１は取り外しが可能であるように別部品として製作し、リアカバー部３８０３に設けられた嵌合部３０２に取り付けられている。
このストラップ係止部３０１の取り付けの方法としては、リアカバー部３８０３に設けられている嵌合部３０２にストラップ係止部３０１の両端部分を嵌め込むことで取り付けられる。
ここで、図３に記載したストラップ係止部３０１の両端は嵌合部３０２に挿入することで嵌合する形状をしているが、この両端の形状は嵌合部３０２に挿入可能な形状だけでなく、ストラップ係止部３０１側の形状を凹状、嵌合部３０２側の形状を凸状として嵌合させても良い。
また、図３に記載した実施例３のストラップ係止部３０１の形状はどんな形でも良く、図面では柱状となっているが、例えば方形でも良く、中空（パイプ状）であっても良い。また、一様な形状寸法である必要もない。
【実施例４】
【００１４】
図４において、ストラップ係止部４０１は取り外しが可能であるように別部品として製作し、更にストラップ８０６の係止を容易にするため、空隙８０７が大きくなるコの字型の形状を有している。このストラップ係止部４０１に設けた突起部がリアカバー部４８０３に設けられた嵌合部４０２に取り付けることで、ストラップ係止部４０１はリアカバー４８０３に取り付けられている。
ここで、図４に記載したストラップ係止部４０１の両端の突起部は、嵌合部４０２と嵌合する形状であればよく、嵌合部４０２側が凸状、ストラップ係止部４０１側が凹状となって嵌合される形状であっても良い。
また、実施例４のストラップ係止部４０１の形状は図面ではコの字型として記載しているが、ストラップ８０６の係止を容易にするための空隙８０７を大きく取る事が可能な形状であればよく、例えば円弧のような曲線としても良い。また、一様な形状寸法である必要もない。
【実施例５】
【００１５】
図５において、ストラップ係止部５０１は取り外しが可能であるように別部品として製作し、ストラップ８０６を係止する為の空隙８０７を一体化したブロック型の形状を為している。このストラップ係止部５０１がストラップ係止部５０１の両端に設けられた突起部を介して、リアカバー部５８０３に設けられた嵌合部５０２に取り付けられている。
ここで、図５に記載したストラップ係止部５０１の両端は、嵌合部５０２と嵌合する形状であればよく、嵌合部５０２側が凸状、ストラップ係止部５０１側が凹状となって嵌合される形状であっても良い。また、ストラップ係止部５０１の突起は両端それぞれに複数あっても良い。
また、実施例５のストラップ係止部５０１の形状は、ストラップ８０６が係止される部分と空隙８０７が一体化されている形状であれば良い。また、一様な形状寸法である必要もない。
【実施例６】
【００１６】
図６において、リアカバー部６８０３に設けられたストラップ係止部６０１には切り込み部６０２を設けて製作し、所定の引っ張り力が加わると切り込み部６０２からストラップ係止部６０１が破損し、ストラップ８０６がリアカバー部６８０３より外れる構成となっている。
ここで、ストラップ係止部に設けられる切り込み部は種々の形状をしていてもよく、実施例６に記載した楔型の形状に限らず、例えば方形や円弧といった形状であっても良い。また、一様な形状寸法である必要もない。
【実施例７】
【００１７】
図７において、リアカバー７８０３は携帯無線機８０１と嵌合するための嵌合爪７０１を設けて製作し、携帯無線機８０１に設けられた嵌合爪７０１の嵌め合い部分（図示せず）が嵌合されて取り付けられている。
ここで、嵌合爪７０１の形状はどんな形をしていても良い。
【００１８】
以上の説明により、本発明の実施の形態によると、携帯無線機といった、携帯用電子機器にストラップ係止部を介してストラップを取り付けた時、携帯用電子機器本体またはストラップに安全上問題が予測される過剰の引張り力が発生した場合、ストラップ係止部が破損するか、または外れる、若しくはリアカバーが破損するか、または外れることで使用者の安全性を向上させる事が可能となる。
【００１９】
また、本発明の実施の形態によると、ストラップ係止部が外れた場合や、破損した場合でも容易に部品交換が可能となる。
【図面の簡単な説明】
【００２０】
【図１】本発明に係る第１の実施の形態について示した携帯無線機の斜視図。
【図２】本発明に係る第２の実施の形態について示した携帯無線機の斜視図。
【図３】本発明に係る第３の実施の形態について示した携帯無線機の斜視図。
【図４】本発明に係る第４の実施の形態について示した携帯無線機の斜視図。
【図５】本発明に係る第５の実施の形態について示した携帯無線機の斜視図。
【図６】本発明に係る第６の実施の形態について示した携帯無線機の斜視図。
【図７】本発明に係る第７の実施の形態について示した携帯無線機の斜視図。
【図８】従来におけるストラップ係止部を具備した携帯無線機を示した斜視図。
【符号の説明】
【００２１】
１０１、２０１、３０１、４０１、５０１、６０１・・・ストラップ係止部、
１０２、２０２、３０２、４０２、５０２、６０２・・・ストラップ係止部嵌合凹部、
１０３、２０３・・・切込み部、
７０１・・・嵌合爪、
８０１・・・携帯無線機本体、
８０２・・・携帯無線機フロントカバー、
１８０３、２８０３、３８０３、４８０３、５８０３、６８０３、７８０３、８０３・・・携帯無線機リアカバー、
８０４・・・携帯無線機バッテリー、
８０５・・・ストラップ係止部、
８０６・・・ストラップ、
８０７・・・空隙。
【図１】
2007158801.tif 000003
【図２】
2007158801.tif 000004
【図３】
2007158801.tif 000005
【図４】
2007158801.tif 000006
【図５】
2007158801.tif 000007
【図６】
2007158801.tif 000008
【図７】
2007158801.tif 000009
【図８】
2007158801.tif 000010